(57)【要約】【課題】電力増幅器の発熱により、この電力増幅器を構成する素子を破壊することがなく且つ再生プログラムが途切れることがないようにすることを目的とする。【解決手段】音声信号を音量調整装置３及び電力増幅器５を介して、スピーカー６に供給するようにした音声再生装置において、この電力増幅器５の温度を検出する温度検出手段７を設け、この温度検出手段７の検出温度が所定の設定温度Ｔ０になる毎にこの音量調整装置３よりの音量を段階的に自動的に下げるようにしたものである。【選択図】　　　　図１
2004112707.tif 000002
【特許請求の範囲】
【請求項１】
音声信号を音量調整装置及び電力増幅器を介してスピーカーに供給するようにした音声再生装置において、
前記電力増幅器の温度を検出する温度検出手段を設け、
前記温度検出手段の検出温度が所定の設定温度になる毎に前記音量調整装置よりの音量を段階的に自動的に下げるようにしたことを特徴とする音声再生装置。
【発明の詳細な説明】
【０００１】
【発明の属する技術分野】
本発明はステレオ音響装置等に使用して好適な音声再生装置に関する。
【０００２】
【従来の技術及び発明が解決しようとする課題】
近年、ステレオ音響装置は小型化、電力増幅器の出力の高出力化、映像ソフト再生多チャンネル化により、電力増幅器の熱による信頼性が厳しくなってきている。
【０００３】
従来のステレオ音響装置においては、電力増幅器の発熱はヒートシンクによる自然対流か、ファンによる強制冷却装置で冷やしている。このように電力増幅器の発熱をヒートシンクによる自然対流やファンにより強制的に冷やしても、このステレオ音響装置の設置場所等によっては、この冷却効果が十分得られなかったり、再生メディアの記録レベルが高い場合には、電力増幅器の熱が上がりこの電力増幅器を構成する素子（パワートランジスタ等）を破壊する虞れがあった。
【０００４】
また、従来このステレオ音響装置に温度検出回路を設け、この電力増幅器が発熱し、この温度検出回路が所定温度以上を検出したときには、この電力増幅器の出力を停止する如くしたものが提案されている。
【０００５】
然しながら、斯る温度検出回路が所定温度以上を検出したときに電力増幅器の出力を停止したときには、それ以降の再生プログラムが途切れてしまい、楽しみを阻害してしまう虞れがある。
【０００６】
本発明は斯る点に鑑み電力増幅器の発熱により、この電力増幅器を構成する素子を破壊することがなく且つ再生プログラムが途切れることがないようにすることを目的とする。
【０００７】
【課題を解決するための手段】
本発明音声再生装置は、音声信号を音量調整装置及び電力増幅器を介して、スピーカーに供給するようにした音声再生装置において、この電力増幅器の温度を検出する温度検出手段を設け、この温度検出手段の検出温度が所定の設定温度になる毎にこの音量調整装置よりの音量を段階的に自動的に下げるようにしたものである。
【０００８】
斯る本発明によれば電力増幅器の温度が所定の設定温度になる毎に音量調整装置よりの出力音声信号レベルを段階的に自動的に下げるようにしたので、電力増幅器の温度が所定の設定温度になったときに、音量即ち出力音声信号レベルを減少し、この電力増幅器の発熱量はそれだけ減少し、この電力増幅器の温度は設定温度以上にはならずこの電力増幅器の素子を破壊することがなく且つ電力増幅器の温度が設定温度となったときに音量調整装置の出力音声信号レベルを段階的に下げるだけなので再生プログラムを中断することがない。
【０００９】
【発明の実施の形態】
以下、図面を参照して本発明音声再生装置の実施の形態の例につき説明する。
【００１０】
図１において、１は音声信号が入力される音声信号入力端子を示し、この音声信号入力端子１に供給される音声信号を前置増幅器２を介して電子ボリウムより成る音量調整装置３に供給する。
【００１１】
この音量調整装置３は後述するマイクロコンピュータ８の指令に従って段階的に出力信号の音量即ち音声レベルを切換える如くなされている。
【００１２】
この音量調整装置３の出力側に得られる音量調整された音声信号をパワートランジスタ等より成る電力増幅器５を介してスピーカー６に供給する如くする。
【００１３】
この電力増幅器５のパワートランジスタ等を放熱用の例えばアルミニウム板にファンを設けたヒートシンク４上に配置する如くする。
【００１４】
また本例においては、このヒートシンク４上にパワートランジスタ等より成る電力増幅器５の温度を検出する温度センサー７を設け、この温度センサー７により電力増幅器５の発熱による温度を検出する如くする。
【００１５】
この温度センサー７による電力増幅器５の検出温度情報を音量調整装置３の音量を調整するマイクロコンピュータ８に供給する如くする。このマイクロコンピュータ８は温度センサー７の検出温度に従い図２に示す如きフローチャートの動作を行う如くする。
【００１６】
即ち、電源オンしたときに、音量調整装置３を手動等により所望の音量に調整し、この音量調整装置３による音量即ち出力音声信号レベルを図３に破線で示す如く音声信号レベルＰ１とする（ステップＳ１）。
【００１７】
次にステップＳ２に移行し、この温度センサー７による温度（図３に実線で示す）をチェックし、この温度が設定温度Ｔ０例えばパワートランジスタが破壊する温度を考慮した温度、例えば１５０℃より高くなったかどうかを判断し（ステップＳ３）、この設定温度Ｔ０以下のときは電源がオフされたかを判断し（ステップＳ４）、電源がオフされていないときは、ステップＳ２、ステップＳ３及びステップＳ４を繰り返す。この場合において、電力増幅器５の温度は発熱により図３に実線で示す如く上昇する。
【００１８】
次に、ステップＳ３で、時間ｔ１において設定温度Ｔ０より高いと判断されたときは、このマイクロコンピュータ８の指令により音量調整装置３の出力音声信号レベルを低減する如く調整し、この出力音声信号レベルを図３に破線で示すＰ２になる如く段階的に低減する（ステップＳ５）。この出力音声信号レベルがＰ２と低減したときには、それだけこの電力増幅器５の発熱量が減少するので、この温度センサー７による検出温度は図３に実線で示す如く減少する。
【００１９】
次にステップＳ２、ステップＳ３及びステップＳ４を繰り返し、再び図３に実線で示す如く、この電力増幅器５の発熱と放熱との関係により、この電力増幅器５の温度が上昇し、時間ｔ２において、ステップＳ３で設定温度Ｔ０より高くなったと判断されたときは、再びこのマイクロコンピュータ８の指令により音量調整装置３の出力音声信号レベルを低減する如く調整し、この出力音声信号レベルを図３に破線で示すＰ３になる如く段階的に低減する（ステップＳ５）。
【００２０】
この出力音声信号レベルがＰ３と低減したときにはそれだけ、この電力増幅器５の発熱量が減少するので、この温度センサー７による検出温度は図３に実線で示す如く減少する。
【００２１】
本例では上述を繰り返し、ステップＳ４にて電源オフを判断したときには終了する。
【００２２】
本例においては、電力増幅器５の温度が例えばパワートランジスタが破壊する設定温度Ｔ０例えば１５０℃になる毎に音量調整装置３よりの出力音声信号レベルを段階的Ｐ１→Ｐ２→Ｐ３に自動的に下げるようにしたので、この電力増幅器の温度が設定温度Ｔ０になったときに音量即ち音声信号レベルが減少し、この電力増幅器５の発熱量はそれだけ減少し、この電力増幅器５の温度はパワートランジスタ等の破壊する温度以上にはならず、この電力増幅器５を構成するパワートランジスタ等の素子を破壊することがない。
【００２３】
従って、本例によればステレオ音響装置等の置き場所の条件が変っても、この電力増幅器を構成する素子を保護することができると共にこの電力増幅器を構成する素子の発熱に対する信頼性、寿命を向上することができる。
【００２４】
また本例によれば、電力増幅器５の温度が設定温度Ｔ０になったときに音量調整装置３の出力音声信号レベルを低減し、電力増幅器５の発熱量を低減するだけなので、再生プログラムを中断するようなことがない利益がある。
【００２５】
尚、本発明は上述例に限ることなく本発明の要旨を逸脱することなく、その他種々の構成が採り得ることは勿論である。
【００２６】
【発明の効果】
本発明によれば電力増幅器の温度が所定の設定温度になる毎に音量調整装置よりの出力音声信号レベルを段階的に自動的に下げるようにしたので、電力増幅器の温度が所定の設定温度になったときに音量即ち出力音声信号レベルを減少し、この電力増幅器の発熱量はそれだけ減少し、この電力増幅器の温度は設定温度以上にはならず、この電力増幅器を構成する素子を破壊することがない。
【００２７】
また本発明によれば電力増幅器の温度が設定温度となったときに音量調整装置の出力音声信号レベルを段階的に下げるだけなので再生プログラムを中断することがない。
【図面の簡単な説明】
【図１】本発明音声再生装置の実施の形態の例を示す構成図である。
【図２】本発明の説明に供するフローチャートである。
【図３】本発明の説明に供する線図である。
【符号の説明】
１‥‥音声信号入力端子、２‥‥前置増幅器、３‥‥音量調整装置、４‥‥ヒートシンク、５‥‥電力増幅器、６‥‥スピーカー、７‥‥温度センサー、８‥‥マイクロコンピュータ
【図１】
2004112707.tif 000003
【図２】
2004112707.tif 000004
【図３】
2004112707.tif 000005